(57)【要約】【課題】汎用性のある金属製のヒンジ軸を使用しながら、潤滑剤を塗布することなく簡単に挿入でき、かつ軸受周辺の耐久性を向上させることができるようにする。【解決手段】ヒンジ部に第１の筐体３と第２の筐体と連結する金属製の水平ヒンジ軸１０設け、その一端１１を第１の筐体３に設けた第１軸受部３ａに連結し、他端１２を第２の筐体に設けた第２軸受部に連結し、第１軸受部３ａ及び第２軸受部の少なくとも一方に水平ヒンジ軸１０の一端１１又は他端１２を覆うと共に、水平ヒンジ軸１０よりも柔らかい材質よりなり、第１軸受部３ａ及び第２軸受部の少なくとも一方の摩耗を防止する水平摩耗防止用カバー２０を設ける。【選択図】図１
2013221584.tif 000002
【特許請求の範囲】
【請求項１】
第１の筐体と第２の筐体とがヒンジ部を介して折畳み開閉可能に連結された携帯端末において、
上記ヒンジ部は、
上記第１の筐体と上記第２の筐体とを相対的に回転可能に連結する金属製の水平ヒンジ軸と、
上記第１の筐体に設けられて上記水平ヒンジ軸の一端が連結される第１軸受部と、
上記第２の筐体に設けられて上記水平ヒンジ軸の他端が連結される第２軸受部と、
上記水平ヒンジ軸の一端又は他端を覆うと共に、上記水平ヒンジ軸よりも柔らかい材質よりなり、上記第１軸受部又は上記第２軸受部に嵌合されて該第１軸受部又は上記第２軸受部の摩耗を防止する水平摩耗防止用カバーとを備えている
ことを特徴とする携帯端末。
【請求項２】
回転側筐体が固定側筐体に対してヒンジ部を介して表裏反転可能に連結された携帯端末において、
上記ヒンジ部は、
上記回転側筐体を回転可能に上記固定側筐体に連結する金属製の垂直ヒンジ軸と、
上記垂直ヒンジ軸の一端が連結される垂直軸受部と、
上記垂直ヒンジ軸の一端の少なくとも一部を覆うと共に、該垂直ヒンジ軸よりも柔らかい材質よりなり、上記垂直軸受部に当接して該垂直軸受部の摩耗を防止する垂直摩耗防止用カバーとを備えている
ことを特徴とする携帯端末。
【請求項３】
請求項１又は２に記載の携帯端末において、
上記水平摩耗防止用カバー又は垂直摩耗防止用カバーは、上記水平ヒンジ軸又は垂直ヒンジ軸に一体成形された樹脂成形品である
ことを特徴とする携帯端末。
【請求項４】
請求項１又は２に記載の携帯端末において、
上記水平摩耗防止用カバー又は垂直摩耗防止用カバーは、上記水平ヒンジ軸又は垂直ヒンジ軸に該水平ヒンジ軸又は垂直ヒンジ軸を構成する金属よりも柔らかい金属でメッキされて形成されている
ことを特徴とする携帯端末。
【発明の詳細な説明】
【技術分野】
【０００１】
本発明は、一方の筐体が他方の筐体に対して折畳み又は表裏反転可能に連結された携帯端末に関するものである。
【背景技術】
【０００２】
従来より、第１の筐体と第２の筐体とがヒンジ部を介して折畳み開閉可能に連結された携帯端末は知られている。このような携帯端末が通信機能を有する場合、電波のシールドの問題から、その筐体は主にプラスチックで構成されることが知られている。
【０００３】
ヒンジ部は、折畳み操作を繰り返すため、ヒンジ部の軸部分には金属部品が用いられる。このため、強度の高い軸部分によって、それよりも強度の低い樹脂製の軸受部分が削られるという問題がある。軸受部分が削られると、軸部分の周囲に隙間が発生し、開閉機能が阻害されてしまう。また、摩耗防止等のために軸部分には各種潤滑剤を塗布してから挿入することが行われている。
【０００４】
そこで、例えば特許文献１のプラスチック製ハウジングは、第１ハウジングと第２ハウジングとを回転ヒンジ部を介して折畳み開閉可能に接続し、プラスチックで成形された第１、第２ハウジングのそれぞれ一端部に一体に互いに隣接して嵌合するプラスチックで成形された第１軸受及び第２軸受と、これら第１及び第２軸受の軸孔内に軸方向に沿って設けた突起状リブとを備えた軸受部に、金属製の支軸に回転可能に軸支された外周に溝状リブを設けた第１回転体及び第２回転体と、これら第１、第２回転体を互いに支軸を中心に相対的に所定の回転角度差を持つ位置にて一旦停止ロックさせるクリック機構とを備えた支軸部を嵌挿した折畳みヒンジ部を備え、第２回転体を嵌挿した第２軸受の軸孔内に、そのプラスチック製の軸孔内周面と突起状リブを保護する形状の保護キャップが装填されている折畳みヒンジ部を備えている。
【先行技術文献】
【特許文献】
【０００５】
【特許文献１】特開２００２−１３０２４９号公報
【発明の概要】
【発明が解決しようとする課題】
【０００６】
しかしながら、上記特許文献１の携帯端末では、ヒンジ軸自体もプラスチック製であるので、耐久性の面で問題がある上、汎用性が低くて入手が難しい。
【０００７】
そこで、従来の金属製のヒンジ軸を用いながらも、樹脂製の軸受部が損傷しないようにしたい、というニーズがある。
【０００８】
本発明は、かかる点に鑑みてなされたものであり、その目的とするところは、汎用性のある金属製のヒンジ軸を使用しながら、潤滑剤を塗布することなく簡単に挿入でき、かつ軸受周辺の耐久性を向上させることにある。
【課題を解決するための手段】
【０００９】
上記の目的を達成するために、この発明では、金属製のヒンジ軸の一部のみをヒンジ軸よりも柔らかい材料で覆うようにした。
【００１０】
具体的には、第１の発明は、第１の筐体と第２の筐体とがヒンジ部を介して折畳み開閉可能に連結された携帯端末を前提とし、
そして、上記ヒンジ部は、
上記第１の筐体と上記第２の筐体とを相対的に回転可能に連結する金属製の水平ヒンジ軸と、
上記第１の筐体に設けられて上記水平ヒンジ軸の一端が連結される第１軸受部と、
上記第２の筐体に設けられて上記水平ヒンジ軸の他端が連結される第２軸受部と、
上記水平ヒンジ軸の一端又は他端を覆うと共に、上記水平ヒンジ軸よりも柔らかい材質よりなり、上記第１軸受部又は上記第２軸受部に嵌合されて該第１軸受部又は上記第２軸受部の摩耗を防止する水平摩耗防止用カバーとを備えている。
【００１１】
上記の構成によると、金属製の硬い水平ヒンジ軸の少なくとも一方側を、この水平ヒンジ軸よりも柔らかい水平摩耗防止用カバーが覆っているので、この水平摩耗防止用カバーが当接する第１軸受部又は第２軸受部が摩耗せず、折畳み開閉操作が阻害されない。また、摩耗の防止等のために潤滑剤を塗布しなくてもよいので潤滑油が漏れ出さない上に塗布の手間が省ける。
【００１２】
第２の発明では、回転側筐体が固定側筐体に対してヒンジ部を介して表裏反転可能に連結された携帯端末を前提とする。
【００１３】
そして、上記ヒンジ部は、
上記回転側筐体を回転可能に上記固定側筐体に連結する金属製の垂直ヒンジ軸と、
上記垂直ヒンジ軸の一端が連結される垂直軸受部と、
上記垂直ヒンジ軸の一端の少なくとも一部を覆うと共に、該垂直ヒンジ軸よりも柔らかい材質よりなり、上記垂直軸受部に当接して該垂直軸受部の摩耗を防止する垂直摩耗防止用カバーとを備えている。
【００１４】
上記の構成によると、金属製の硬い垂直ヒンジ軸の一端の少なくとも一部を、この垂直ヒンジ軸よりも柔らかい垂直摩耗防止用カバーが覆っているので、この垂直摩耗防止用カバーが当接する垂直軸受部が摩耗せず、回転操作が阻害されない。また、摩耗の防止等のために潤滑剤を塗布しなくてもよいので潤滑油が漏れ出さない上に塗布の手間が省ける。
【００１５】
第３の発明では、第１又は第２の発明において、
上記水平摩耗防止用カバー又は垂直摩耗防止用カバーは、上記水平ヒンジ軸又は垂直ヒンジ軸に一体成形された樹脂成形品である。
【００１６】
上記の構成によると、樹脂成形品であれば、インサート成形などにより、金属製の水平ヒンジ軸又は垂直ヒンジ軸と一体成形できるので、成形が容易であると共に、樹脂部分と金属部分とが密着するので、両者間で摩耗が生じにくい。
【００１７】
第４の発明では、第１又は第２の発明において、
上記水平摩耗防止用カバー又は垂直摩耗防止用カバーは、上記水平ヒンジ軸又は垂直ヒンジ軸に該水平ヒンジ軸又は垂直ヒンジ軸を構成する金属よりも柔らかい金属でメッキされて形成されている。
【００１８】
上記の構成によると、メッキにより水平摩耗防止用カバー又は垂直摩耗防止用カバーを容易に成形でき、また、一度メッキすれば、水平摩耗防止用カバー又は垂直摩耗防止用カバー部分が剥がれにくい。
【発明の効果】
【００１９】
以上説明したように、本発明によれば、金属製のヒンジ軸を、このヒンジ軸よりも柔らかいカバーで覆って軸受部に嵌合又は当接させるようにしたことにより、汎用性のある金属製のヒンジ軸を使用しながら、潤滑剤を塗布することなく簡単に挿入でき、かつ軸受周辺の耐久性を向上させることができる。
【図面の簡単な説明】
【００２０】
【図１】本発明の実施形態１に係る水平摩耗防止用カバーを有する水平ヒンジ軸を挿入する様子を示す分解斜視図である。
【図２】携帯電話機を開いた状態を示す斜視図である。
【図３】第１の筐体に水平ヒンジ軸を挿入した状態を示す斜視図である。
【図４】水平ヒンジ軸を拡大して示し、（ａ）が一体成形した状態を示す斜視図であり、（ｂ）が分解状態を示す斜視図である。
【図５】実施形態２に係る垂直摩耗防止用カバーを有する垂直ヒンジ軸及びその周辺を示す斜視図である。
【図６】垂直摩耗防止用カバーを有する垂直ヒンジ軸を拡大して示す斜視図である。
【図７】垂直摩耗防止用カバーを有する垂直ヒンジ軸を拡大して示す分解斜視図である。
【図８】垂直摩耗防止用カバーを嵌め込む状態を示す分解斜視図である。
【図９】垂直摩耗防止用カバー、垂直ヒンジ軸及びその周辺を拡大して示す底面図である。
【図１０】被取付部と垂直摩耗防止用カバーとの関係を示す図９相当図である。
【発明を実施するための形態】
【００２１】
以下、本発明の実施形態を図面に基づいて説明する。
【００２２】
（実施形態１）
図２は本発明の実施形態１の携帯端末としての携帯電話機１を示し、この携帯電話機１は、表示部２を有する第１の筐体３と、操作部４を有する第２の筐体５とがヒンジ部６を介して折畳み開閉可能に連結されている。第１の筐体３及び第２の筐体５は、例えばポリカーボネイト樹脂、ＡＢＳ樹脂、ポリアミドＭＸＤ６樹脂などの樹脂成形品よりなる。
【００２３】
そしてヒンジ部６は、図１に示すように、第１の筐体３と第２の筐体５とを回転可能に連結する金属製の水平ヒンジ軸１０を備えている。
【００２４】
一方、第１の筐体３の左側下端部には、水平ヒンジ軸１０の一端１１側が連結される、ボス状の第１軸受部３ａが設けられている。なお、第１の筐体３の右側下端部には、ボス状の右側軸受部３ｂが設けられているが、この右側軸受部３ｂには、水平ヒンジ軸１０は、内蔵されていない。
【００２５】
一方、第２の筐体５の左右中央部には、表面上へ膨出するように、水平ヒンジ軸１０の他端１２側が連結される第２軸受部５ａが形成されている。詳しくは図示しないが、図４に示すように、水平ヒンジ軸１０の主要部品は、ステンレスなどの金属で構成され、一端１１側と、他端１２側とが、特定の角度で固定可能なように節度を持って相対的に回転可能に構成されている。また、右側軸受部３ｂと第２軸受部５ａとの間は、例えば、一方側から突出する軸状部分を他方側で受けることで回転可能に連結されている。
【００２６】
そして、本発明の特徴として、図４に示すように、水平ヒンジ軸１０の一端１１側は、水平摩耗防止用カバー２０で覆われている。この水平摩耗防止用カバー２０は、水平ヒンジ軸１０よりも柔らかい、例えば耐摩耗性プラスチックなどの樹脂材料よりなる。水平摩耗防止用カバー２０は、インサート成形などにより、水平ヒンジ軸１０に一体に形成されている。例えば、水平ヒンジ軸１０の一端１１には、一対のカバー取付用凹部１３が形成され、このカバー取付用凹部１３に水平摩耗防止用カバー２０の係合突部２１が成形時に流れ込むことで水平摩耗防止用カバー２０が一端１１に密着している。このため、水平摩耗防止用カバー２０と一端１１との間で摩耗が発生しにくくなっている。
【００２７】
このように水平摩耗防止用カバー２０が一体成形された水平ヒンジ軸１０は、図１に示すように、第１軸受部３ａの挿入孔３ｃに圧入される。このとき、本実施形態では、潤滑剤を塗布せずに水平摩耗防止用カバー２０ごと水平ヒンジ軸１０が挿入孔３ｃに挿入される。
【００２８】
そして、第２軸受部５ａで他端１２側を覆うようにして第１の筐体３と第２の筐体５とが連結される。連結後には、ヒンジ部６により、第１の筐体３と第２の筐体５とが折畳み開閉可能となる。
【００２９】
このように組み立てられた携帯電話機１では、折畳み開閉を繰り返し行っても、水平摩耗防止用カバー２０が嵌め込まれた第１軸受部３ａが摩耗せず、ヒンジ部６の耐久性が向上する。
【００３０】
したがって、本実施形態に係る携帯電話機１によると、金属製の水平ヒンジ軸１０を、この水平ヒンジ軸１０よりも柔らかい水平摩耗防止用カバー２０で覆って第１軸受部３ａに挿入するようにしたことにより、汎用性のある金属製の水平ヒンジ軸１０を使用しながら、摩耗の防止等のために潤滑剤を塗布することなく簡単に挿入できる。また、第１軸受部３ａ周辺の耐久性を向上させることができるので、ガタツキが生じず、折畳み開閉操作をスムーズに行うことができる。
【００３１】
（実施形態２）
図５〜図１０は本発明の実施形態２を示し、ヒンジ部１０６の構成が異なる点で上記実施形態１と異なる。なお、本実施形態では、図１〜図４と同じ部分については同じ符号を付してその詳細な説明は省略する。
【００３２】
本実施形態の携帯電話機１０１では、表示部２を有する回転側筐体１０３が操作部４を有する固定側筐体１０５に対してヒンジ部１０６を介して表裏反転可能に連結されている。そして、ヒンジ部１０６は、回転側筐体１０３と共に、固定側筐体１０５に対して折畳み開閉可能に連結されている。
【００３３】
具体的には、ヒンジ部１０６は、回転側筐体１０３を回転可能に支持するヒンジユニット１１５を備えている。ヒンジユニット１１５は、その中心に金属製の垂直ヒンジ軸１１０を備えている。垂直ヒンジ軸１１０の一端１１１がヒンジ部６側に連結され、他端１１２側が回転側筐体１０３側に連結されている。
【００３４】
他端１１２は、回転側筐体１０３に結合するための取付部１１３を有し、そのネジ挿通孔１１３ａに図示しないビスを挿通して回転側筐体１０３に締結されるようになっている。取付部１１３も金属で構成され、他端１１２に回転一体に結合されている。
【００３５】
一端１１１は、鍔を有し、その鍔の一部が他の部分よりも大きく膨出して回り止め部１１１ａを構成している。この回り止め部１１１ａがヒンジ部６側に固定されるヒンジ側取付部１１４に膨出形成したストッパ１１７に当接することで、垂直ヒンジ軸１１０の回転角度が規制されている。ヒンジ側取付部１１４は、ヒンジ部６に内蔵される樹脂製の被取付部１１６に連結されるようになっている。
【００３６】
そして、被取付部１１６の垂直軸受部１１６ａは、垂直ヒンジ軸１１０の一端１１１をその先端側から覆っている。
【００３７】
垂直ヒンジ軸１１０の一端１１１の回り止め部１１１ａのない外周には、垂直ヒンジ軸１１０よりも柔らかい樹脂製の垂直摩耗防止用カバー１２０が嵌合、接着等により結合されている。垂直摩耗防止用カバー１２０は、ストッパ１１７の円弧状外周面と一端１１１外周との間の隙間に配置されるので、垂直ヒンジ軸１１０の回転を阻害しない。この垂直摩耗防止用カバー１２０は、一端１１１の先端よりも若干軸方向に飛び出ることで、一端１１１に優先して垂直軸受部１１６ａの底面（図６及び図９の上側の面）に当接するようになっている。このことにより、直接金属製の一端１１１が直接接触して摩耗を防止するのを防止している。
【００３８】
したがって、本実施形態においても、金属製の硬い垂直ヒンジ軸１１０の少なくとも一方側を、この垂直ヒンジ軸１１０よりも柔らかい垂直摩耗防止用カバー１２０が覆っているので、垂直軸受部１１６ａが摩耗せず、ヒンジ部１０６の耐久性が向上する。
【００３９】
（その他の実施形態）
本発明は、上記実施形態について、以下のような構成としてもよい。
【００４０】
すなわち、上記実施形態では、水平摩耗防止用カバー２０及び垂直摩耗防止用カバー１２０を樹脂で構成したが、ゴムやエラストマーで構成してもよい。
【００４１】
上記実施形態では、水平摩耗防止用カバー２０及び垂直摩耗防止用カバー１２０は、水平ヒンジ軸１０及び垂直ヒンジ軸１１０よりも柔らかい樹脂で構成したが、水平ヒンジ軸１０及び垂直ヒンジ軸１１０を構成する金属よりも柔らかい金属でメッキすることで構成してもよい。メッキ厚さは、例えば０．２ｍｍ〜０．３ｍｍとすればよい。この場合には、メッキにより水平摩耗防止用カバー２０又は垂直摩耗防止用カバー１２０を容易に成形でき、また、一度メッキすれば、水平摩耗防止用カバー２０又は垂直摩耗防止用カバー１２０部分が剥がれにくいというメリットがある。
【００４２】
なお、以上の実施形態は、本質的に好ましい例示であって、本発明、その適用物や用途の範囲を制限することを意図するものではない。
【産業上の利用可能性】
【００４３】
以上説明したように、本発明は、一方の筐体が他方の筐体に対して折畳み又は表裏反転可能に連結された携帯端末について有用である。
【符号の説明】
【００４４】
１      携帯電話機（携帯端末）
３      第１の筐体
３ａ    第１軸受部
５      第２の筐体
５ａ    第２軸受部
６      ヒンジ部
１０      水平ヒンジ軸
１１      一端
１２      他端
２０      水平摩耗防止用カバー
１０１      携帯電話機（携帯端末）
１０３      回転側筐体
１０５      固定側筐体
１０６      ヒンジ部
１１０      垂直ヒンジ軸
１１１      一端
１１６ａ    垂直軸受部
１２０      垂直摩耗防止用カバー
【図１】
2013221584.tif 000003
【図２】
2013221584.tif 000004
【図３】
2013221584.tif 000005
【図４】
2013221584.tif 000006
【図５】
2013221584.tif 000007
【図６】
2013221584.tif 000008
【図７】
2013221584.tif 000009
【図８】
2013221584.tif 000010
【図９】
2013221584.tif 000011
【図１０】
2013221584.tif 000012